(57)【要約】【課題】これまで以上に効率的に気流中の粒子を帯電させることができる空気調和機を提供する。【解決手段】空気調和機は、吸込口３３、および、吸込口３３から送風ファン２４に至る気流の通路８１を有する筐体２６と、イオン８７の放出に指向性を有し、吸込口３３に平行にイオン８７を放出するイオン発生ユニット５５とを備える。イオン発生ユニット５５には通路内に配置されて導電材で形成される集塵電極が組み合わせられる。イオン８７で帯電した粒子は集塵電極に付着する。【選択図】図８
2016176610.tif 000002
【特許請求の範囲】
【請求項１】
吸込口を有する筐体と、前記筐体の内部に配置される送風ファンと、
前記吸込口から送風ファンに至る気流の通路を有する筐体と、
イオンの放出に指向性を有し、前記気流に直交する方向に前記イオンを放出するイオン発生ユニットと、
前記通路内に配置されて導電材で形成される集塵電極と
を備えることを特徴とする空気調和機。
【請求項２】
請求項１に記載の空気調和機において、前記イオン発生ユニットは前記気流の通路内に配置することを特徴とする空気調和機。
【請求項３】
請求項１または２に記載の空気調和機において、前記気流の流通方向に沿って前記集塵電極の下流に配置され、前記イオンと同極性の電気的な障壁を形成する反発電極を備えることを特徴とする空気調和機。
【発明の詳細な説明】
【技術分野】
【０００１】
本発明は空気調和機等に関する。
【背景技術】
【０００２】
例えば特許文献１に開示されるように、電気集塵機能を有する空気調和機は一般に知られる。空気調和機はマイナスイオン発生器を備える。金属製の室内熱交換器は対向電極として機能する。マイナスイオン発生器はマイナスイオンを放出する。負に帯電した塵埃などの粒子は室内熱交換器の表面に付着する。
【先行技術文献】
【特許文献】
【０００３】
【特許文献１】特開２０１５−０１７７８５号公報
【発明の概要】
【発明が解決しようとする課題】
【０００４】
マイナスイオン発生器は電極を有する。電極は樹脂製のカバーで囲われる。カバーは対向電極としての室内熱交換器に向き合わせられる。マイナスイオンは室内熱交換器に向かって放出される。こうして室内熱交換器の上流側空間にイオンが放出されても、帯電させることができる気流中の塵埃などの粒子の量が少ないことが判明した。
【０００５】
本発明のいくつかの態様によれば、これまで以上に効率的に気流中の粒子を帯電させることができる空気調和機は提供されることができる。
【課題を解決するための手段】
【０００６】
本発明の一形態は、吸込口、および、前記吸込口から送風ファンに至る気流の通路を有する筐体と、イオンの放出に指向性を有し、前記気流に直交する方向に前記イオンを放出するイオン発生ユニットと、前記通路内に配置されて導電材で形成される集塵電極とを備える空気調和機に関する。
【０００７】
イオンが放出されると、気流中の塵埃などの粒子は特定の極性で帯電する。帯電した粒子は集塵電極の導電材に付着する。こうして集塵電極は集塵の機能を発揮する。
【０００８】
吸込口から筐体内に空気は吸い込まれる。このとき、イオン発生ユニットからイオンは気流に直交する方向に放出される。イオンは指向性を有することから、吸込口を横切る方向に進む。イオンは広い範囲にわたって気流中を通過する。従来に比べ、気流に含まれる塵埃などの粒子に広い範囲で接触する。効率的に気流中の粒子は帯電する。その結果、集塵効率は高められることができる。
【０００９】
前記イオン発生ユニットは前記筐体内の前記気流の通路内に配置されてもよい。筐体は筐体外の空間から筐体内の空間を仕切る。筐体内の気流の通路内で帯電した塵埃といった粒子は吹出口に至るまで筐体内に留まることができる。吹出口以外から帯電した粒子の漏れはできる限り抑制されることができる。その一方で、例えば筐体外に帯電した粒子が滞留すると、粒子が筐体の外壁に付着し、外壁に汚れが蓄積してしまうことがある。ただし、イオン発生ユニットは筐体外の空間で吸込口を横切る方向にイオンを放出してもよい。
【００１０】
前記イオン発生ユニットは前記吸込口および前記集塵電極の間の空間に前記イオンを照射すればよい。帯電した粒子は効率的に集塵電極に向けて気流で運ばれることができる。集塵効率は高められることができる。
【００１１】
前記イオン発生ユニットは筐体の内側に配置されてもよい。イオン発生ユニットは確実に筐体内で粒子を帯電させることができる。イオン発生ユニットは筐体内に隠れるので、空気調和機の外観は維持されることができる。美観は損なわれない。空気調和機の商品性は高められる。ただし、イオン発生ユニットは筐体の外側に配置されてもよい。
【００１２】
前記イオン発生ユニットは筐体の内壁に固定されればよい。イオン発生ユニットには電力が供給される。電力の供給線は筐体の内壁に沿って配置されることができる。イオン発生ユニットに比較的に高い電圧が要求されても、確実に電力は供給されることができる。
【００１３】
前記イオン発生ユニットは前記筐体の内壁に向けて前記放射の方向を規定すればよい。イオンの進行は筐体で妨げられる。イオンは筐体内の空間に留まることができる。イオンが室内の壁面に向けられると、イオンが壁面に蓄積し、壁面に対して粒子の付着が促進されてしまうことがある。
【００１４】
空気調和機は、前記気流の流通方向に沿って前記集塵電極の下流に配置され、前記イオンと同極性の電気的な障壁を形成する反発電極を備えてもよい。気流に乗って集塵電極を通過した粒子は電気的な障壁に衝突する。帯電した粒子と電気的な障壁とは同極性を有することから、帯電した粒子は電気的な障壁で反発力を受ける。これによって粒子の進行速度が減じられるとともに進行方向が逆方向となり、帯電した粒子は容易く集塵電極に付着する。こうして塵埃などの粒子は集塵電極に捕獲される。電気的な障壁は粒子の進路を塞ぐことから、粒子の直線的な進行は確実に妨げられる。その結果、さらなる集塵の効率化が実現される。
【発明の効果】
【００１５】
以上のように開示の空気調和機によれば、これまで以上に効率的に気流中の粒子を帯電させることができる。
【図面の簡単な説明】
【００１６】
【図１】本発明の一実施形態に係る空気調和機の構成を概略的に示す概念図である。
【図２】一実施形態に係る室内機の外観を概略的に示す斜視図である。
【図３】室内機の本体の構成を概略的に示す斜視図である。
【図４】室内機の構造を概略的に示す分解斜視図である。
【図５】エアフィルタの構造を概略的に示す拡大斜視図である。
【図６】図５のＡ−Ａ線に沿った断面図である。
【図７】室内機の本体の拡大垂直断面図である。
【図８】図７の一部を拡大した拡大部分垂直断面図である。
【図９】本発明に係る電気集塵の原理を概略的に示す拡大断面図である。
【図１０】図８に対応し、他の実施形態に係る空気調和機の構成を概略的に示す拡大垂直断面図である。
【図１１】図８に対応し、さらに他の実施形態に係る空気調和機の構成を概略的に示す拡大垂直断面図である。
【図１２】図３に対応し、他の実施形態に係るイオンの放出方向を概念的に示す図である。
【図１３】図３に対応し、さらに他の実施形態に係るイオンの放出方向を概念的に示す図である。
【発明を実施するための形態】
【００１７】
以下、添付図面を参照しつつ本発明の一実施形態を説明する。
【００１８】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１９】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００２０】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーの交換をする。室内熱交換器１４は、通過する冷媒と周囲の空気との間で熱エネルギーの交換をする。第２循環経路２２は例えば銅管などの冷媒配管で形成されればよい。
【００２１】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００２２】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００２３】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２４】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２５】
（２）室内機の構成
図２は一実施形態に係る室内機１２の外観を概略的に示す。室内機１２の本体２６にはアウターパネル２７が覆い被さる。本体２６の下面には吹出口２８が形成される。吹出口２８は室内に向けて開口される。本体２６は例えば室内の壁面に固定されることができる。吹出口２８は、室内熱交換器１４で生成される冷気または暖気の気流を吹き出す。
【００２６】
吹出口２８には前後１対の上下風向板３１ａ、３１ｂが配置される。上下風向板３１ａ、３１ｂはそれぞれ水平軸線３２ａ、３２ｂ回りに回転することができる。回転に応じて上下風向板３１ａ、３１ｂは吹出口２８を開閉することができる。上下風向板３１ａ、３１ｂの角度に応じて、吹き出される気流の方向は変えられる。
【００２７】
図３に示されるように、本体２６には吸込口３３が形成される。吸込口３３は本体２６の正面および上面で開口する。アウターパネル２７は本体２６の正面で吸込口３３に覆い被さることができる。室内熱交換器１４に流入する空気は吸込口３３から取り込まれる。
【００２８】
吸込口３３には水平軸線３２ａ、３２ｂに平行な方向にエアフィルタアセンブリ３４が並べられる。エアフィルタアセンブリ３４はエアフィルタ３５およびダストボックス３６を備える。エアフィルタ３５はダストボックス３６に保持される。ダストボックス３６は本体２６に着脱自在に取り付けられる。ダストボックス３６が本体２６にセットされると、エアフィルタ３５は吸込口３３の全面にわたって配置される。
【００２９】
ダストボックス３６には前側のフィルタレール３８が形成される。本体２６には前側のフィルタレール３８の延長線上に対応して後側のフィルタレール３９が形成される。フィルタレール３８、３９は水平軸線３２ａ、３２ｂに直交する垂直面に沿って延びる。エアフィルタ３５の左右両端はスライド自在にフィルタレール３８、３９に保持される。フィルタレール３８、３９はエアフィルタ３５の前後移動を案内する。
【００３０】
図４に示されるように、本体２６には送風ファン２４が回転自在に支持される。送風ファン２４には例えばクロスフローファンが用いられる。送風ファン２４は水平軸線３２ａ、３２ｂに平行な回転軸４１回りで回転する。送風ファン２４の回転軸４１は本体２６の設置時の水平方向に延びる。送風ファン２４は吹出口２８に平行に配置される。送風ファン２４には駆動源（図示せず）から回転軸４１回りの駆動力が伝達される。駆動源は本体２６に支持される。送風ファン２４の回転に応じて気流は室内熱交換器１４を通過する。その結果、冷気または暖気の気流が生成される。冷気または暖気の気流は吹出口２８から吹き出される。
【００３１】
室内熱交換器１４は前側体１４ａおよび後側体１４ｂを備える。前側体１４ａは送風ファン２４の前側から送風ファン２４に向き合わせられる。後側体１４ｂは送風ファン２４の後側から送風ファン２４に向き合わせられる。前側体１４ａおよび後側体１４ｂは上端で相互に連結される。前側体１４ａおよび後側体１４ｂは冷媒管４２ａを有する。冷媒管４２ａは水平方向に往復する。すなわち、冷媒管４２ａは、水平軸線３２ａ、３２ｂに平行に延び、本体２６の正面視左右端で折り返され、再び水平軸線３２ａ、３２ｂに平行に延び、再び本体２６の正面視左右端で折り返され、これらが繰り返される。冷媒管４２ａは第２循環経路２２の一部を構成する。冷媒管４２ａには複数の放熱フィン４２ｂが結合される。放熱フィン４２ｂは水平軸線３２ａ、３２ｂに直交しつつ相互に平行に広がる。冷媒管４２ａおよび放熱フィン４２ｂは例えば銅やアルミニウムといった金属材料から成形されることができる。冷媒管４２ａおよび放熱フィン４２ｂを通じて冷媒と空気との間で熱交換が実現される。
【００３２】
図４に示されるように、エアフィルタアセンブリ３４はフィルタ清掃ユニット４３および電気集塵ユニット（電気集塵装置）４４を備える。ダストボックス３６はフィルタ清掃ユニット４３の１構成要素を担う。ダストボックス３６は上ダストボックス４５および下ダストボックス４６を備える。上ダストボックス４５はエアフィルタ３５の前面側に配置される。上ダストボックス４５はカバー４７を有する。カバー４７はボックス本体４８の貯留空間４９を開閉する。下ダストボックス４６はエアフィルタ３５の後面側に配置される。上ダストボックス４５および下ダストボックス４６はエアフィルタ３５挟み込む。エアフィルタ３５の清掃時、概ねエアフィルタ３５の前面の塵埃は上ダストボックス４５の貯留空間４９に回収され、エアフィルタ３５の後面の塵埃は下ダストボックス４６に回収される。
【００３３】
フィルタ清掃ユニット４３は第１従動ギア５１および第２従動ギア５２を備える。第１従動ギア５１は上ダストボックス４５に支持される。第１従動ギア５１は水平軸５３回りで回転する。第１従動ギア５１は上ダストボックス４５内の後述する清掃ブラシ６６を回動させる。第１従動ギア５１の歯は上ダストボックス４５の外面から部分的に露出する。同様に、第２従動ギア５２は下ダストボックス４６に支持される。第２従動ギア５２は水平軸５４回りで回転する。第２従動ギア５２は、下ダストボックス４６の両端側に設けられエアフィルタ３５を駆動する。第２従動ギア５２の歯は下ダストボックス４６の外面から部分的に露出する。エアフィルタアセンブリ３４が本体２６にセットされると、第１従動ギア５１は本体２６に搭載の第１駆動ギア（図示されず）に噛み合い、同様に第２従動ギア５２は本体２６に搭載の第２駆動ギア（図示されず）に噛み合う。個々の駆動ギアには個別に電動モータといった駆動源（図示されず）が連結される。個々の駆動源から供給される駆動力に応じて第１従動ギア５１および第２従動ギア５２は個別に回転する。
【００３４】
電気集塵ユニット４４はイオナイザ（イオン発生ユニット）５５と集塵電極および反発電極とを備える。イオナイザ５５は上ダストボックス４５に固定される。イオナイザ５５は上ダストボックス４５のカバー４７に一体に形成されればよい。イオナイザ５５には放出口５７が形成される。放出口５７からイオンおよびオゾンが放出される。集塵電極および反発電極は後述される。
【００３５】
図５に示されるように、エアフィルタ３５はフレーム６１およびメッシュシート６２を備える。メッシュシート６２は例えばポリエチレンテレフタラートの繊維（樹脂繊維）を格子状に組み合わせて構成される。メッシュシート６２はフレーム６１に支持される。フレーム６１はメッシュシート６２の形状を保持する機能を有する。フレーム６１は樹脂材料（例えばポリプロピレン）から成形される。フレーム６１およびメッシュシート６２は第１絶縁体６３を構成する。メッシュシート６２のメッシュは気流に対して交差し通気路を区画する。
【００３６】
エアフィルタ３５のフレーム６１にはラック６４が形成される。ラック６４は、フレーム６１の一対の対向する枠部に設けられている。ラック６４は、下ダストボックス４６に収納されるピニオン（図示されず）に噛み合う。ピニオンは第２従動ギア５２に連結される。第２従動ギア５２の回転はピニオンに伝達される。こうして第２従動ギア５２の回転に応じて、エアフィルタ３５はフィルタレール３８、３９に沿って前後に移動する。上ダストボックス４５および下ダストボックス４６に対してエアフィルタ３５は相対的に移動する。
【００３７】
図６に示されるように、エアフィルタ３５の後面（気流に対して下流側の面）には導電材の被膜６５が形成される。導電材には例えばアルミニウムといった金属材料が用いられることができる。被膜６５はメッシュシート６２の後面に積層される。被膜６５の形成には例えばスパッタリング法が用いられればよい。メッシュシート６２によって格子状に区画された通気路はそのまま確保される。エアフィルタ３５の前面（気流に対して上流側の面）には一面に絶縁材が維持される。被膜６５は本体２６のグラウンドに接続される。こうした接続にあたって本体２６には被膜６５の一部に接触する電気接点（図示されず）が形成されればよい。接点から被膜６５の電位はグラウンドに落とされればよい。被膜６５に接触する電気接点はダストボックス３６に形成されてもよく、その場合には、ダストボックス３６の接点から延びる配線が本体２６上の接点に接続されればよい。後述されるように、被膜６５は電気集塵ユニット４４の集塵電極として機能する。
【００３８】
図７に示されるように、フィルタ清掃ユニット４３は清掃ブラシ６６を備える。清掃ブラシ６６は上ダストボックス４５内に収納される。清掃ブラシ６６はブラシ台座６７を備える。ブラシ台座６７は第１従動ギア５１からの駆動力により水平軸６８回りに回転することができる。ブラシ毛６９はブラシ台座６７の筒面上に所定の中心角範囲にわたって配置される。ブラシ毛６９の植毛範囲はブラシ台座６７の軸方向にエアフィルタ３５を横切る広がりを有する。清掃ブラシ６６は所定の回転位置でブラシ毛６９をエアフィルタ３５に接触させ当該回転位置以外ではブラシ毛６９をエアフィルタ３５から離脱させる。ブラシ毛６９がエアフィルタ３５に接触する状態で水平軸線３２ａ、３２ｂに直交する垂直面に沿った方向にエアフィルタ３５が移動すると、エアフィルタ３５の前面に付着した塵埃はブラシ毛６９に絡め取られることができる。
【００３９】
フィルタ清掃ユニット４３はブラシ受け７１を備える。ブラシ受け７１は下ダストボックス４６内に収納される。ブラシ受け７１は受け面７２を有する。受け面７２は清掃ブラシ６６に向き合わせられる。ブラシ毛６９がエアフィルタ３５に接触する際に受け面７２はブラシ毛６９との間にエアフィルタ３５を挟み込む。その他、受け面７２にはブラシ毛が植毛されてもよい。
【００４０】
反発電極７４はフレーム７５およびメッシュシート７６を備える。メッシュシート７６は例えばポリエチレンテレフタラートの繊維（樹脂繊維）から織られる。メッシュシート７６はフレーム７５に支持される。フレーム７５はメッシュシート７６の形状を保持する機能を有する。フレーム７５は例えばポリプロピレンから成形される。フレーム７５およびメッシュシート７６は第２絶縁体７７を構成する。メッシュシート７６のメッシュは気流に対して交差し通気路を区画する。
【００４１】
反発電極７４の前面（気流に対して上流側の面）は導電材の被膜７８で覆われる。導電材には例えばアルミニウムといった金属材料が用いられることができる。被膜７８は第２絶縁体７７の表面に積層される。被膜７８の形成には例えばスパッタリング法が用いられればよい。メッシュシート７６によって格子状に区画された通気路はそのまま確保される。反発電極７４の後面には一面に絶縁材（第２絶縁体７７）が維持される。
【００４２】
反発電極７４は下ダストボックス４６に固定されればよい。前面の被膜７８とエアフィルタ３５の被膜６５との間には空間が形成される。すなわち、被膜７８と被膜６５との間には距離が確保される。ここでは、被膜７８は被膜６５に等間隔で向き合わせられる。こうして電気集塵ユニット４４は集塵電極としてエアフィルタ３５を利用する。
【００４３】
被膜７８は本体２６に搭載の高圧電源７９に接続される。配線を通じて被膜７８には高電圧が供給される。反発電極７４の被膜７８にはイオナイザ５５から放出されるイオンと同極性の電圧が供給される。したがって、高電圧の供給を受けて反発電極７４は前面の被膜７８に沿ってイオンと同極性の電気的な障壁を形成する。反発電極７４と高圧電源７９との間で配線には着脱可能な電気接点が形成される。エアフィルタアセンブリ３４の取り付けおよび取り外しの際には電気接点の働きで配線の結合および分断が実現される。反発電極７４の構成は、本構成に限られるものではなく、イオナイザ５５のイオンで帯電した粒子を反発する電界を生成するものであればよい。
【００４４】
本体２６には吸込口３３から送風ファン２４に至る気流の通路８１が形成される。エアフィルタ３５は通路８１を横切るように配置される。被膜６５は通路８１内に配置される。ここでは、イオナイザ５５は吸込口３３および反発電極７４の間の空間８２にイオンを放出する。
【００４５】
図８に示されるように、イオナイザ５５は例えば筒形状の筐体８３を備える。筐体８３は筒形状の両端で開口する。一方の開口で放出口５７が形成される。筒形状の軸心に沿って針形状の放電電極８４が配置される。放電電極８４は放出口５７に向かって延びる。放電電極８４に並列にグラウンド電極８５が配置される。イオナイザ５５は本体２６に搭載の高圧電源８６に接続される。放電電極８４は高圧電源８６から高電圧の供給を受けて空気中に放電する。放電に基づきイオンおよびオゾンが生成される。こうしたイオナイザ５５は、イオン８７の放出に指向性を有し、吸込口３３に平行に、つまり吸込口３３を横切る方向にイオン８７を放出する。これによりイオナイザ５５は、気流に直交する方向にイオン８７を放出できる。イオナイザ５５は本体２６の内側に配置されることから、イオン８７の放出経路は本体２６内の空間に形成される。ここでは、本体２６の内壁２６ａに向けて放出の方向８８は規定される。イオナイザ５５と高圧電源８６との間で配線には着脱可能な電気接点が形成される。エアフィルタアセンブリ３４の取り付けおよび取り外しの際には電気接点の働きで配線の結合および分断が実現される。
【００４６】
（３）室内機の動作
送風ファン２４が動作すると、吸込口３３から本体２６内に空気は吸い込まれる。本体２６内では吸込口３３から吹出口２８に向かって気流が生成される。気流は通路８１内でエアフィルタ３５を通過して室内熱交換器１４を通過する。冷房運転時には空気は室内熱交換器１４で冷却されて吹出口２８から吹き出される。暖房運転時には空気は室内熱交換器１４で暖められて吹出口２８から吹き出される。気流がエアフィルタ３５を通過する際にメッシュシート６２のメッシュの大きさよりも大きい塵埃はメッシュを通過することができない。大きい塵埃はエアフィルタ３５の前面に捕獲される。メッシュの大きさよりも小さい塵埃などの粒子は、後述する電気集塵の原理によりエアフィルタ３５の後面に付着する。こうして室内熱交換器１４に向かって流れる気流から塵埃などは除去される。室内熱交換器１４には清浄な気流が流れ込む。吹出口２８から清浄な空気の冷気または暖気は吹き出される。
【００４７】
エアフィルタ３５の清掃が行われる際のフィルタ清掃ユニット４３の動作について説明する。ブラシ台座６７の回転動作に応じて清掃ブラシ６６のブラシ毛６９はエアフィルタ３５の前面に接触する。このとき、エアフィルタ３５の後面はブラシ受け７１の受け面７２に受け止められる。エアフィルタ３５はブラシ毛６９と受け面７２との間に挟まれる。第２従動ギア５２が駆動されると、フィルタ３５がフィルタレール３８、３９に沿って前後に移動する。フィルタ３５の移動に応じてブラシ毛６９はエアフィルタ３５の前面をなぞる。こうしてブラシ毛６９はエアフィルタ３５の前面から大きな塵埃を絡め捕る。絡め捕られた塵埃は上ダストボックス４５に回収される。エアフィルタ３５の後面ではグラウンドの働きで電荷は解消されることから、受け面７２とエアフィルタ３５が接触することで微粒子はエアフィルタ３５の後面から落下する。落下した微粒子は下ダストボックス４６に回収される。
【００４８】
吸込口３３から本体２６内に空気は吸い込まれる。このとき、イオナイザ５５からイオン８７は吸込口３３に平行に放出される。イオン８７は指向性を有することから、吸込口３３を横切るように進む。イオン８７は広い範囲にわたって気流中を通過する。気流に含まれる塵埃などの粒子に広い範囲で接触する。効率的に気流中の粒子は帯電する。その結果、集塵効率は高められることができる。
【００４９】
イオナイザ５５は本体２６内の空間で吸込口３３に平行にイオン８７を放出する。本体２６は本体２６外の空間から本体２６内の空間を仕切る。本体２６内の空間で帯電した塵埃といった粒子は吹出口２８に至るまで本体２６内に留まることができる。吹出口２８以外から帯電した粒子の漏れはできる限り抑制されることができる。その一方で、例えば本体２６外で帯電した粒子が滞留すると、粒子が本体２６やアウターパネル２７の外壁に付着し、外壁に汚れが蓄積してしまうことがある。
【００５０】
イオナイザ５５は吸込口３３およびエアフィルタ３５の被膜６５の間の空間にイオン８７を放出する。帯電した粒子は効率的にエアフィルタ３５の被膜６５に向けて気流で運ばれることができる。こうして集塵効率は高められることができる。
【００５１】
イオナイザ５５は本体２６の内側に配置される。したがって、イオナイザ５５は確実に本体２６内で粒子を帯電させることができる。イオナイザ５５は本体２６内に隠れるので、空気調和機１１の外観は維持されることができる。美観は損なわれない。空気調和機１１の商品性は高められる。
【００５２】
イオナイザ５５は本体２６の内壁２６ａに向けて放出の方向８８を規定する。イオン８７の進行は本体２６で妨げられる。イオン８７は本体２６内の空間に留まることができる。イオン８７が室内の壁面に向けられると、イオン８７が壁面に蓄積し、壁面に対して粒子の付着が促進されてしまうことがある。
【００５３】
（４）電気集塵の原理
図９に示されるように、吸込口３３から送風ファン２４に至る気流の通路中にエアフィルタ３５（集塵電極）および反発電極７４が配置される。気流の流通方向に沿ってエアフィルタ３５の下流に反発電極７４が配置される。イオナイザ５５は吸込口３３に平行に気流にイオン８７を放出する。ここでは、放電により気流中に正のイオン８７が生成される。正のイオン８７は気流中の塵埃などの微粒子８９に付着する。こうして微粒子８９は正に帯電する（以下、帯電した微粒子を「帯電微粒子９１」という）。
【００５４】
反発電極７４の被膜７８に高電圧が供給されると、反発電極７４のメッシュシート７６の表面は正に帯電する。正に帯電したメッシュシート７６は、気流の流通方向に交差する姿勢の電気的な障壁９２を形成する。ここでは、電気的な障壁９２は気流の流通方向に直交する。電気的な障壁９２はメッシュシート７６の表面に沿って連続する。ここで、電気的な障壁９２はイオン８７と同極性の電位すなわち正極性の電位を有する。
【００５５】
気流はメッシュシート６２のメッシュで区画される通気路を通過する。気流に乗った帯電微粒子９１はメッシュシート６２のメッシュよりも小さいことからエアフィルタ３５のメッシュシート６２を通過する。帯電微粒子９１は電気的な障壁９２に衝突する。帯電微粒子９１と電気的な障壁９２とは同極性を有することから、帯電微粒子９１は電気的な障壁９２の壁で反発力を受ける。これによって帯電微粒子９１の進行速度が減じられるとともに進行方向が逆方向となり、帯電微粒子９１はエアフィルタ３５に向かって移動し被膜６５に付着する。
【００５６】
エアフィルタ３５の被膜６５はグラウンド９４に接続される。帯電微粒子９１がエアフィルタ３５の被膜６５に付着すると、帯電微粒子９１とグラウンド９４との間で電荷のやり取りがなされる。帯電微粒子９１の帯電した状態が解消される。こうしてエアフィルタ３５が帯電電極７３と同極性の電位となることを防止できる。帯電微粒子９１の付着量が増加しても、確実に新たな帯電微粒子９１はエアフィルタ３５に付着していくことができる。なお、集塵電極としてのエアフィルタ３５はグラウンド電位に接続されてもよく、帯電微粒子９１と逆の極性すなわち負極性の電位に接続されてもよい。
【００５７】
反発電極７４の被膜７８はエアフィルタ３５の被膜６５に等間隔に向き合わせられることが望ましい。そうすれば電気的な障壁９２では電位の分布の偏りが抑制される。その結果、エアフィルタ３５上に満遍なく帯電微粒子９１は付着することができる。ここで、被膜７８と被膜６５の距離が一定でない場合、近接した個所でスパークが生じる可能性がある。上述のように等間隔とすることで、反発電極７４の被膜７８とエアフィルタ３５の被膜６５との間でスパークが発生することを防止できる。
【００５８】
ここでは、エアフィルタ３５では第１絶縁体６３は前面（第１面）で気流を受け後面（当該第１面の反対側の第２面）で被膜６５を支持する。同様に、反発電極７４では第２絶縁体７７はエアフィルタ３５の被膜６５に向き合わせられる面で被膜７８を支持する。こうしてエアフィルタ３５上の被膜６５に反発電極７４上の被膜７８は向き合わせられる。こうしてエアフィルタ３５の被膜６５および反発電極７４の被膜７８は第１絶縁体６３および第２絶縁体７７の間に配置される。これにより、高電圧が供給される被膜７８に対して、ユーザーが外側から直接接触することを防止できる。また、金属材料により被覆された面（被膜６５）は樹脂材料からなる絶縁体（第１絶縁体６３）の表面よりも凹凸が少ない。そのため、帯電微粒子９１が付着する面を反発電極７４側とすることで、エアフィルタ３５の清掃が容易となる。
【００５９】
なお、図９ではイオナイザ５５から正のイオン８７を放出する例が示される。こうした正のイオン８７に代えて負のイオンを放出するイオナイザが用いられてもよい。その場合には、反発電極７４は負極の電位に接続され、集塵電極（エアフィルタ３５の被膜６５）は正極の電位またはグラウンド電位に接続されればよい。
【００６０】
（５）他の実施形態に係る空気調和機
図１０に示されるように、イオナイザ５５は本体２６の内壁２６ａに固定されてもよい。イオナイザ５５には電力が供給される。電力の供給線９５は本体２６の内壁２６ａに沿って配置される。イオナイザ５５に比較的に高い電圧が要求されても、確実に電力は供給されることができる。図１０では、イオナイザ５５は、室内の壁面側からアウターパネル２７の裏側に向かって放出の方向を規定するように配置される。図１１に示されるように、アウターパネル２７の裏側から室内の壁面側に向かって放出の方向８８を規定するようにイオナイザ５５は配置されてもよい。図１２に示されるように、イオン８７の放出の方向８８は水平軸線３２ａ、３２ｂに直交する垂直面に平行に設定されてもよく垂直面に角度θで傾斜してもよい。図１３に示されるように、イオン８７の放出の方向８８は水平軸線３２ａ、３２ｂに平行に設定されてもよい。
【符号の説明】
【００６１】
１１  空気調和機、２４  送風ファン、２６  筐体（本体）、３３  吸込口、３５  集塵電極（エアフィルタ）、５５  イオン発生ユニット（イオナイザ）、６５  導電体（被膜）、７４  反発電極、８１  通路、８７  イオン。
【図１】
2016176610.tif 000003
【図２】
2016176610.tif 000004
【図３】
2016176610.tif 000005
【図４】
2016176610.tif 000006
【図５】
2016176610.tif 000007
【図６】
2016176610.tif 000008
【図７】
2016176610.tif 000009
【図８】
2016176610.tif 000010
【図１０】
2016176610.tif 000011
【図１１】
2016176610.tif 000012
【図１２】
2016176610.tif 000013
【図１３】
2016176610.tif 000014
【図９】
2016176610.tif 000015